(57)【要約】    【課題】  複数のコンセントにそれぞれ接続される機器を同時に起動したときに、電源が落ちることを防止することができ、かつ、複数の機器の立ち上げを効率的に行うことができる電源供給制御装置、電源供給制御方法及び電源供給制御用プログラム並びに電源供給制御システムを提供する。    【解決手段】  電源供給制御装置１００が、単体で各コンセント部の電力消費パターンの特徴を抽出し、この電力消費パターンの特徴から消費電力値と時間との関係を抽出し、この関係に基づいて電源供給パターンを作成して、該電源供給パターンに基づいて各コンセント部に対して電源供給を行う。【選択図】      図５
2005198364.tif 000002
【特許請求の範囲】
【請求項１】
複数の機器とそれぞれ接続する複数のコンセント部を備える電源供給制御装置において、
各コンセント部に通電し、該コンセント部毎の所定時間の消費電力データを取得する消費電力データ取得手段と、
前記消費電力データ取得手段に取得された消費電力データからコンセント部毎の電力消費パターンの特徴を抽出する電力消費パターン特徴抽出手段と、
前記電力消費パターン特徴抽出手段で抽出された電力消費パターンの特徴に基づいて、コンセント部毎の消費電力値と時間との関係を抽出する消費電力値−時間関係抽出手段と、
前記消費電力値−時間関係抽出手段により抽出された関係に基づいて、電源供給パターンを作成する電源供給パターン作成手段と、
前記電源供給パターンに基づいて各コンセント部に対して電源供給を行う電源供給手段と
を備えることを特徴とする電源供給制御装置。
【請求項２】
該コンセント部に接続される機器の全てに電源を供給することが可能か否かを判別する判別手段と、該判別手段が機器の全てに電源を供給できないと判別した場合には、警告を行う警告手段とを有することを特徴とする請求項１記載の電源供給制御装置。
【請求項３】
複数の機器とそれぞれ接続する複数のコンセント部を備える装置の電源供給制御方法において、
各コンセント部に通電し、該コンセント部毎の所定時間の消費電力データを取得する消費電力データ取得工程と、
前記消費電力データ取得工程で取得された消費電力データからコンセント部毎の電力消費パターンの特徴を抽出する電力消費パターン特徴抽出工程と、
前記電力消費パターン特徴抽出工程で抽出された電力消費パターンの特徴に基づいて、コンセント部毎の消費電力値と時間との関係を抽出する消費電力値−時間関係抽出工程と、
前記消費電力値−時間関係抽出工程により抽出された関係に基づいて、電源供給パターンを作成する電源供給パターン作成工程と、
前記電源供給パターンに基づいて各コンセント部に対して電源供給を行う電源供給工程と
を備えることを特徴とする電源供給制御方法。
【請求項４】
該コンセント部に接続される機器の全てに電源を供給することが可能か否かを判別する判別工程と、該判別工程が機器の全てに電源を供給できないと判別した場合には、警告を行う警告工程とを有することを特徴とする請求項３記載の電源供給制御方法。
【請求項５】
複数の機器とそれぞれ接続する複数のコンセント部を備える電源供給制御装置が実行する電源供給制御用プログラムにおいて、
各コンセント部に通電し、該コンセント部毎の所定時間の消費電力データを取得する消費電力データ取得モジュールと、
前記消費電力データ取得モジュールで取得された消費電力データからコンセント部毎の電力消費パターンの特徴を抽出する電力消費パターン特徴抽出モジュールと、
前記電力消費パターン特徴抽出モジュールで抽出された電力消費パターンの特徴に基づいて、コンセント部毎の消費電力値と時間との関係を抽出する消費電力値−時間関係抽出モジュールと、
前記消費電力値−時間関係抽出モジュールにより抽出された関係に基づいて、電源供給パターンを作成する電源供給パターン作成モジュールと、
前記電源供給パターンに基づいて各コンセント部に対して電源供給を行う電源供給モジュールと
を備えることを特徴とする電源供給制御用プログラム。
【請求項６】
該コンセント部に接続される機器の全てに電源を供給することが可能か否かを判別する判別モジュールと、該判別モジュールが機器の全てに電源を供給できないと判別した場合には、警告を行う警告モジュールとを有することを特徴とする請求項５記載の電源供給制御用プログラム。
【請求項７】
複数の機器とそれぞれ接続する複数のコンセント部を備える電源供給制御装置と、前記電源供給制御装置とネットワークを介して通信する外部端末とを有する電源供給制御システムにおいて、
前記電源供給制御装置は、
各コンセント部に通電し、該コンセント部毎の所定時間の消費電力データを取得する消費電力データ取得手段と、
前記消費電力データ取得手段に取得されたコンセント部毎の消費電力データを前記外部端末に送信する第１送信手段と、
前記外部端末から電源供給パターンを受信する第１受信手段と、
前記電源供給パターンに基づいて各コンセント部に対して電源供給を行う電源供給手段とを備え、
前記外部端末は、
前記電源供給制御装置から前記コンセント部毎の消費電力データを受信する第２受信手段と、
前記受信された消費電力データからコンセント部毎の電力消費パターンの特徴を抽出する電力消費パターン特徴抽出手段と、
前記電力消費パターン特徴抽出手段で抽出された電力消費パターンの特徴に基づいて、コンセント部毎の消費電力値と時間との関係を抽出する消費電力値−時間関係抽出手段と、
前記消費電力値−時間関係抽出手段により抽出された関係に基づいて、電源供給パターンを作成する電源供給パターン作成手段と、
前記電源供給パターン作成手段により作成された電源供給パターンを前記電源供給制御装置に送信する第２送信手段と
を備えることを特徴とする電源供給制御システム。
【請求項８】
前記電源供給制御装置は、さらに該コンセント部に接続される機器の全てに電源を供給することが可能か否かを判別する判別手段と、該判別手段が機器の全てに電源を供給できないと判別した場合には、警告を行う警告手段とを有することを特徴とする請求項７記載の電源供給制御システム。
【発明の詳細な説明】
【技術分野】
【０００１】
本発明は、複数の電気機器を接続可能な電源供給制御装置、電源供給制御方法及び電源供給制御用プログラム並びに電源供給制御システムに関する。
【背景技術】
【０００２】
従来より、複数のコンセントとメインスイッチとを有し、商用電源からの電力供給を一度にオンオフする仕組みを有する電源タップがある。
【０００３】
また、下記特許文献１には、１台のパソコンが接続されている電力供給切換装置が開示されており、当該１台のパソコンにより、電力供給切換装置の複数のコンセントにそれぞれ接続される機器（当該パソコンを除く）への通電をオンオフすることで、各機器への電力供給を切り換える技術が開示されている。
【０００４】
さらに、下記特許文献２には、電源タップの各コンセントに接続される機器の電力供給状態を検知して、該検知された各機器の電力供給状態を外部装置へ無線通信することで、外部装置から各機器への電力供給状態を確認する技術が開示されている。また、各機器への電力供給状態の確認結果に基づいて、無線信号により、各機器が接続されているコンセントへの電力供給状態を切り換えることが可能な仕組みが開示されている。
【特許文献１】特開平１１−２１２６８３号公報
【特許文献２】特開２００２−４４８８２号公報
【発明の開示】
【発明が解決しようとする課題】
【０００５】
しかしながら、上記従来の電源タップでは、一度に各コンセントに電源供給を行うため、複数のコンセントに接続されるそれぞれの機器の起動時の突入電流が大きい場合には、過電流が流れ、消費電力が大きくなり、保護回路の作動や商用電源側のブレーカが落ちるため、全ての機器への通電が不能になるという問題がある。また、メインスイッチがない電源タップの場合でも、複数の機器の電源をオンにしたまま電源タップコンセントに接続し、電源タップのメインケーブルのプラグを商用電源に接続したときも同様の問題が生じる。
【０００６】
また、特許文献１の電力供給切換装置では、１台のパソコンによる各コンセントのオンオフの制御であり、この問題を解決するものでない。
【０００７】
さらに、特許文献２の技術では、既に起動している各機器の電力供給状態を人間が確認して、制御するものであるため、複数の機器の立ち上げを効率的に行うことができないという問題がある。
【０００８】
本発明は、上記の課題を解決するためになされたものであり、複数のコンセントにそれぞれ接続される機器を同時に起動したときに、電源が落ちることを防止することができ、かつ、複数の機器の立ち上げを効率的に行うことができる電源供給制御装置、電源供給制御方法及び電源供給制御用プログラム並びに電源供給制御システムを提供することを目的とする。
【課題を解決するための手段】
【０００９】
上記目的を達成するために、請求項１の電源供給制御装置は、複数の機器とそれぞれ接続する複数のコンセント部を備える電源供給制御装置において、各コンセント部に通電し、該コンセント部毎の所定時間の消費電力データを取得する消費電力データ取得手段と、前記消費電力データ取得手段に取得された消費電力データからコンセント部毎の電力消費パターンの特徴を抽出する電力消費パターン特徴抽出手段と、前記電力消費パターン特徴抽出手段で抽出された電力消費パターンの特徴に基づいて、コンセント部毎の消費電力値と時間との関係を抽出する消費電力値−時間関係抽出手段と、前記消費電力値−時間関係抽出手段により抽出された関係に基づいて、電源供給パターンを作成する電源供給パターン作成手段と、前記電源供給パターンに基づいて各コンセント部に対して電源供給を行う電源供給手段とを備えることを特徴とする。
【００１０】
請求項２の電源供給制御装置は、請求項１記載の電源供給制御装置において、該コンセント部に接続される機器の全てに電源を供給することが可能か否かを判別する判別手段と、該判別手段が機器の全てに電源を供給できないと判別した場合には、警告を行う警告手段とを有することを特徴とする。
【００１１】
請求項３の電源供給制御方法は、複数の機器とそれぞれ接続する複数のコンセント部を備える装置の電源供給制御方法において、各コンセント部に通電し、該コンセント部毎の所定時間の消費電力データを取得する消費電力データ取得工程と、前記消費電力データ取得工程で取得された消費電力データからコンセント部毎の電力消費パターンの特徴を抽出する電力消費パターン特徴抽出工程と、前記電力消費パターン特徴抽出工程で抽出された電力消費パターンの特徴に基づいて、コンセント部毎の消費電力値と時間との関係を抽出する消費電力値−時間関係抽出工程と、前記消費電力値−時間関係抽出工程により抽出された関係に基づいて、電源供給パターンを作成する電源供給パターン作成工程と、前記電源供給パターンに基づいて各コンセント部に対して電源供給を行う電源供給工程とを備えることを特徴とする。
【００１２】
請求項４の電源供給制御方法は、請求項３記載の電源供給制御方法において、該コンセント部に接続される機器の全てに電源を供給することが可能か否かを判別する判別工程と、該判別工程が機器の全てに電源を供給できないと判別した場合には、警告を行う警告工程とを有することを特徴とする。
【００１３】
請求項５の電源供給制御プログラムは、複数の機器とそれぞれ接続する複数のコンセント部を備える電源供給制御装置が実行する電源供給制御用プログラムにおいて、各コンセント部に通電し、該コンセント部毎の所定時間の消費電力データを取得する消費電力データ取得モジュールと、前記消費電力データ取得モジュールで取得された消費電力データからコンセント部毎の電力消費パターンの特徴を抽出する電力消費パターン特徴抽出モジュールと、前記電力消費パターン特徴抽出モジュールで抽出された電力消費パターンの特徴に基づいて、コンセント部毎の消費電力値と時間との関係を抽出する消費電力値−時間関係抽出モジュールと、前記消費電力値−時間関係抽出モジュールにより抽出された関係に基づいて、電源供給パターンを作成する電源供給パターン作成モジュールと、前記電源供給パターンに基づいて各コンセント部に対して電源供給を行う電源供給モジュールとを備えることを特徴とする。
【００１４】
請求項６のの電源供給制御用プログラムは、請求項５記載の電源供給制御用プログラムにおいて、該コンセント部に接続される機器の全てに電源を供給することが可能か否かを判別する判別モジュールと、該判別モジュールが機器の全てに電源を供給できないと判別した場合には、警告を行う警告モジュールとを有することを特徴とする。
【００１５】
請求項７の電源供給制御システムは、複数の機器とそれぞれ接続する複数のコンセント部を備える電源供給制御装置と、前記電源供給制御装置とネットワークを介して通信する外部端末とを有する電源供給制御システムにおいて、前記電源供給制御装置は、各コンセント部に通電し、該コンセント部毎の所定時間の消費電力データを取得する消費電力データ取得手段と、前記消費電力データ取得手段に取得されたコンセント部毎の消費電力データを前記外部端末に送信する第１送信手段と、前記外部端末から電源供給パターンを受信する第１受信手段と、前記電源供給パターンに基づいて各コンセント部に対して電源供給を行う電源供給手段とを備え、前記外部端末は、前記電源供給制御装置から前記コンセント部毎の消費電力データを受信する第２受信手段と、前記受信された消費電力データからコンセント部毎の電力消費パターンの特徴を抽出する電力消費パターン特徴抽出手段と、前記電力消費パターン特徴抽出手段で抽出された電力消費パターンの特徴に基づいて、コンセント部毎の消費電力値と時間との関係を抽出する消費電力値−時間関係抽出手段と、前記消費電力値−時間関係抽出手段により抽出された関係に基づいて、電源供給パターンを作成する電源供給パターン作成手段と、前記電源供給パターン作成手段により作成された電源供給パターンを前記電源供給制御装置に送信する第２送信手段とを備えることを特徴とする。
【００１６】
請求項８の電源供給制御システムは、請求項７記載の電源供給制御システムにおいて、前記電源供給制御装置は、さらに該コンセント部に接続される機器の全てに電源を供給することが可能か否かを判別する判別手段と、該判別手段が機器の全てに電源を供給できないと判別した場合には、警告を行う警告手段とを有することを特徴とする。
【発明の効果】
【００１７】
本発明によれば、各コンセント部の電力消費パターンの特徴が抽出され、この電力消費パターンの特徴から消費電力値と時間との関係が抽出され、この関係に基づいて電源供給パターンが作成されて、該電源供給パターンに基づいて各コンセント部に対して電源供給が行われるので、複数のコンセントにそれぞれ接続される機器を同時に起動したときに、電源が落ちることを防止することができ、かつ、複数の機器の立ち上げを効率的に行うことができる。
【００１８】
また、電源供給制御装置に対して一度に電力を供給するためのスイッチを設けた場合や、複数の機器を接続したままで、電源供給制御装置のコンセントを商用電源に接続した場合に、突入電流の大きい機器を含んでいて、通常なら電源が落ちてしまう場合でも、電源供給が行えるようなる。また、電源供給パターンを生成することで、人間が判断して電源供給パターンを生成することがなく、煩わしい作業を行わずに済む。また、不正確な電源供給パターンになることを防止できる。
【００１９】
さらに、外部端末において、各コンセント部の電力消費パターンの特徴が抽出され、この電力消費パターンの特徴から消費電力値と時間との関係が抽出され、この関係に基づいて電源供給パターンが作成されて、電源供給制御装置に送信され、電源供給制御装置は該電源供給パターンに基づいて各コンセント部に対して電源供給を行うので、複数のコンセントにそれぞれ接続される機器を同時に起動したときに、電源が落ちることを防止することができ、かつ、複数の機器の立ち上げを効率的に行うことができる。また、外部端末が電源供給制御装置の各コンセント部の通電や電力消費の制御を行うことができる。
【発明を実施するための最良の形態】
【００２０】
以下、図面を参照して、本発明の実施形態を詳細に説明する。
【００２１】
図１は、本発明の実施の形態に係る電源供給制御システムの構成を示す図である。
【００２２】
同図において、符号１００は電源供給制御装置であって、複数のコンセント部（ここでは４つ）を有し、商用電源に接続して、各コンセント部に接続される機器に対して電源供給を行うことが可能な構成を有している。
【００２３】
さらに、電源供給制御装置１００は、ネットワーク７００を介して外部端末２００と通信可能な機能を有している。電源供給制御装置１００は、電源タップと同様に用いられるものであり、商用電源にプラグを差し込んだ状態では各コンセント部に対する通電を行わず、電源スイッチ１０１を投入することで各コンセント部に対しての通電を開始する。
【００２４】
複合機３００、スキャナ４００、電子写真プリンタ５００及びインクジェットプリンタ６００は電源供給制御装置１００に接続される機器の一例である。
【００２５】
図２は、図１の電源供給制御装置１００のハードウェア構成を示す図である。
【００２６】
電源供給制御装置１００は、メインの電源スイッチ１０１により商用電源からの電力供給が可能となる。１０２は制御回路用に使用される電源を生成する制御回路用電源部である。図２において電力線は省略する。ＣＰＵ１０３はＥＰＲＯＭ１０４に格納される制御プログラムに基づいて制御を実行し、ＳＲＡＭ１０５はワークメモリとして使用されている。また、ＣＰＵ１０３は保存の必要なデータをＥＰＲＭ１０４に保存する。
【００２７】
リアルタイムクロック１０６は、時間データを取得するために用いられる。また、ＮＩＣ（Ｎｅｔｗｏｒｋ  Ｉｎｔｅｒｆａｃｅ  Ｃａｒｄ）はネットワーク７００を介して通信を行い、ＴＣＰ／ＩＰなどのプロトコルでの通信を可能とする。また、Ａ／Ｄコンバータ１０８は、入力されたアナログ信号をデジタル化することが可能であり、シリアルパラレル変換回路１０９はデータバス１１０に対して８ビットデータのデータをパラレルに流すことを可能にするために用いられる。表示部１１１は、図３に示すように７つのＬＥＤと、３つのスイッチＳＷ１，ＳＷ２，ＳＷ３と、数値表示部３０１とから構成されている。ＳＷ１は、数値表示部３０１に表示されるデータの種類を電圧、電流又は電力に切り換えるために用いられる。また、ＳＷ２は、数値表示部３０１に表示される値を後述する各コンセント部ＣＨ１，ＣＨ２，ＣＨ３，ＣＨ４に対応した値に切り換える（以下、「コンセント部」は単にＣＨ１，ＣＨ２…という）。ＳＷ３は、後述する「保護モード」と「通常モード」とを切り換えるために用いられる。
【００２８】
操作部１１２は、ディレイタイムを設定するロータリースイッチ１３０を有し、後述するリレー部１１５に含まれる各リレー１１５ａ〜１１５ｄの起動タイミングをそれぞれ０〜１５秒の範囲で設定可能である。ＣＰＵ１０３は、この設定に基づいてＣＨ１〜ＣＨ４への電源供給タイミングを変えることが可能となる。また、操作部１１２では、ＣＨ１〜ＣＨ４のそれぞれに対して決められている規定値を超える電流がいずれか１つのＣＨに流れた場合に、該規定値を超える電流が流れたＣＨへの電源供給を止めるために、ディップスイッチ１３１によるＣＨ指定とロータリースイッチ１３２による電流値指定が０〜１５Ａの範囲で可能となっている。
【００２９】
また、波形整形・スイッチングブロック１１３はＣＨ１〜ＣＨ４に入力されるアナログ信号をスイッチングすると共に波形整形してＡ／Ｄコンバータ１０８に出力する。
【００３０】
トランス部１１４は各ＣＨ１〜ＣＨ４に入力されるＡＣ成分の電圧を落として、抽出する。リレー部１１５はリレー１１５ａ〜１１５ｄからなり、リレー１１５ａ〜１１５ｄはＣＰＵ１０３により制御され、電圧を掛けるとオンして、電圧を掛けないとオフする仕組みである。コンセント部１１６はＣＨ１〜ＣＨ４で示す４つのコンセントからなっており、プラグ１１７を介して商用電源から流れるＡＣ１００Ｖが供給される。
【００３１】
図４は、図１の外部端末２００のハードウェア構成を示す図である。
【００３２】
ＣＰＵ２０１は、システムバス２０４に接続される各デバイスやコントローラを統括的に制御する。また、ＲＯＭ２０２又は外部メモリ２１１には、ＣＰＵ２０１の制御プログラムであるＢＩＯＳ（BasicInput／Output System）やオペレーティングシステムプログラム（以下、ＯＳ）や、実行する機能を実現するために必要な後述する各種プログラム等が記憶されている。ＲＡＭ２０３は、ＣＰＵ２０１の主メモリ、ワークエリア等として機能する。ＣＰＵ２０１は、処埋の実行に際して必要なプログラム等をＲＡＭ２０３にロードして、プログラムを実行することで各種動作を実現する。
【００３３】
また、入力コントローラ（入力Ｃ）２０５は、キーボード２０９や不図示のマウス等のポインティングデバイスからの入力を制御する。ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク又はＰＣＭＣＩＡカードスロットにアダプタを介して接続されるコンパクトフラッシュ（登録商標）メモリ等の外部メモリ２１１へのアクセスを制御する。
【００３４】
通信Ｉ／Ｆコントローラ（通信Ｉ／ＦＣ）２０８は、ネットワーク７００を介して、外部機器と接続し、通信するものであり、ネットワーク７００での通信制御処理を実行する。例えば、ＴＣＰ／ＩＰを用いたインターネット通信等が可能である。なお、ＣＰＵ２０１は、例えばＲＡＭ２０３内の表示情報用領域ヘアウトラインフォントの展開（ラスタライズ）処理を実行することにより、ＣＲＴ２１０上でのフォント表示を可能としている。また、ＣＰＵ２０１は、ＣＲＴ２１０上の不図示のマウスカーソル等でのユーザ指示を可能とする。
【００３５】
本発明を実現するための電源供給制御用プログラムは外部メモリ２１１に記録されており、必要に応じてＲＡＭ２０２にロードされることによりＣＰＵ２０１によって実行される。さらに、本発明に係る電源供給制御用プログラムが用いる定義ファイル及び各種情報テーブルは外部メモリ２１１に格納されている。
【００３６】
図５は、本実施の形態に係る電源供給制御装置１００の制御処理を示すフローチャートである。本プログラムはＥＰＲＯＭ１０４に格納されており、ＣＰＵ１０３が実行して各ステップを実行する。
【００３７】
まず、ＣＰＵ１０３はＳＷ３により保護モードが設定されているか否かを判定する（ステップＳ５０１）。
【００３８】
ステップＳ５０１の判別の結果、モードが「通常モード」の場合には、デフォルトの電源供給パターンで各ＣＨに対して電源供給する（ステップＳ５１１）。デフォルトでは、例えば、ディレイのないように同時にリレー１１５ａ〜１１５ｄに電圧を掛ける。保護モードは、不図示の保護回路により所定以上の電流値が流れた場合に、リレー１１５ａ〜１１５ｄにかかる電圧を止めるなどして、ＣＨ１〜ＣＨ４が同時に通電状態になることを防ぐために、各リレーへの電源供給パターンを使用するモードであり、通常モードは特に何もしない。デフォルトの設定は「保護モード」であり、ＳＷ３を用いて「通常モード」に切り換えることが可能である。
【００３９】
また、ステップＳ５０１の判別の結果、モードが「保護モード」の場合には、ＥＰＲＯＭ１０４に格納された電源供給パターンがあるか否かを判別する（ステップＳ５０２）。
【００４０】
ステップＳ５０２の判別の結果、ＥＰＲＯＭ１０４に格納された電源供給パターンがある場合には、ＥＰＲＯＭ１０４に格納された電源供給パターンによる電源供給を開始し（ステップＳ５１０）、本処理を終了する。
【００４１】
一方、ステップＳ５０２の判別の結果、ＥＰＲＯＭ１０４に格納された電源供給パターンがない場合には、任意のＣＨを１つ選択して、通電（電源供給）し、所定時間（例えば２分）の消費電力データを取得し、ＥＰＲＯＭ１０４に保存する（ステップＳ５０３）。ここでは、消費電力データを取得することにしたが、機器にかかる電圧の変動が微少のときには、消費電流データと消費電力データとは比例関係にあるので、消費電流データを取得するようにしてもよい。また、上記所定時間は、各ＣＨに接続されている機器の消費電力データを取得するために設定される時間であるため、各ＣＨに接続されている機器の電源投入時、起動時、省エネルギーモード時及び待機モード時等に消費される電力の検出に必要な時間が好ましい。
【００４２】
次いで、ＥＰＲＯＭ１０４に保存された消費電力データから電力消費パターンの特徴抽出を行う（ステップＳ５０４）。ここでは、例えば、図６（ａ）に示すような消費電力データを条件付きで平均化を行う。平均化する際に、所定以上のアンペア数の差があるデータは平均化せず、所定以内のデータは平均化するという動作を比較的細かい単位（例えば０．１秒）で実行する。この処理をアンペア数の差を広めの方向に僅かに変えながら、所定回数繰り返すことで、図６（ｂ）に示すような電力消費パターンを取得する。
【００４３】
次に、ＣＰＵ１０３は、図６（ｂ）の電力消費パターンから特徴的な消費電力値と時間との関係を抽出して、ＥＰＲＯＭ１０４に保存する（ステップＳ５０５）。ここでは、平均化されて同一のアンペア数を持つ値を時間情報と共に抽出し、図７に示すようなテーブルを作成して、ＥＰＲＯＭ１０４に保存する。
【００４４】
続けて、全てのコンセント（ＣＨ１〜ＣＨ４）について、図７のテーブルの作成が終了したか否かを判別し（ステップＳ５０６）、図７のテーブルの作成が終了していない場合には、ステップＳ５０３に戻る一方、図７のテーブルの作成が終了した場合には、その結果を用いて電源供給パターンを作成する（ステップＳ５０７）。例えば、電源供給制御装置１００の最大許容電流値が１８Ａで、図７に示すような突入電流が１５Ａである機器を起動させる場合、他の機器が既に動作中であるときには、合計の電流値が１８Ａを超える可能性がある。このため、図７に示すような機器が接続されているコンセントへの電源供給は最初に行い、安定化した後（例えば、３０秒以後）に他の機器が接続されているコンセント（ＣＨ）へ電源供給するために、該ＣＨに対応するリレーへの電圧供給を行う等の電源供給パターンを作成する。
【００４５】
次いで、各コンセント（ＣＨ１〜ＣＨ４）に接続されている全ての機器への電源供給が可能であるか否かを判別し（ステップＳ５０８）、電源供給可能でない機器がある場合には、警告を行う（ステップＳ５１２）。警告の方法は、表示部１１１に設けられたＬＥＤ又は数値表示部３０１が点滅するようにしてもよいし、不図示の音声出力部からビープ音を出力したり、「最大電流値を超えます」等の音声データを出力してもよい。ステップＳ５０８の判別では、上述のように最大許容電流値と各機器の突入電流や通常動作時の電流などの組み合わせを比較してどの様にしても最大許容電流を超えるか否かを判別するものである。
【００４６】
一方、ステップＳ５０８の判別の結果、全ての機器への電源供給が可能である場合には、ステップＳ５０７で作成された電源供給パターンをＥＰＲＯＭ１０４に保存し（ステップＳ５０９）、該保存された電源供給パターンに基づいて各コンセント（ＣＨ１〜ＣＨ４）に接続されている全ての機器への電源供給を開始し（ステップＳ５１０）、本処理を終了する。
【００４７】
以上の電源供給制御装置１００の制御処理では、電源供給制御装置１００が単体で自ら電源供給パターンを作成し、各コンセント（ＣＨ１〜ＣＨ４）に接続されている全ての機器への電源供給を実行したが、ネットワーク７００を介して電源供給制御装置１００に接続される外部端末２００が電源供給制御装置１００用の電源供給パターンを作成し、電源供給制御装置１００に送信して、電源供給制御装置１００がこの電源供給パターンに基づいて各コンセント（ＣＨ１〜ＣＨ４）に接続されている全ての機器への電源供給を実行するようにしてもよい。これにより、外部端末２００が電源供給制御装置１００の遠隔制御を実行することができる。
【００４８】
以下、外部端末２００が電源供給制御装置１００の遠隔制御を実行する場合を説明する。
【００４９】
図８は、電源供給制御装置１００の消費電力データをＣＲＴ２１０に表示するための処理を示すフローチャートである。本処理は、外部端末２００のＣＰＵ２０１で実行される。
【００５０】
まず、ＣＨ毎の所定時間（例えば２分）の消費電力データを受信したか否かを判別する（ステップＳ２０１）。ＣＨ毎の所定時間の消費電力データは、ＮＩＣ１０７を介して外部端末２００に送信され、外部端末２００は通信Ｉ／ＦＣ２０８を介して当該消費電力データを受信する。ステップＳ２０１の判別は、全てのＣＨの消費電力データを受信するまで繰り返される。全てのＣＨの消費電力データを受信した後は、該全てのＣＨの消費電力データをＲＡＭ２０３又は外部メモリ２１１に保存し（ステップＳ８０２）、消費電力データをビデオコントローラ２０６を介してＣＲＴ２１０に表示して（ステップＳ８０３）、本処理を終了する。図９は、外部端末２００のＣＲＴ２１０に表示される、ＣＨ１の消費電力データを示す図である。
【００５１】
図１０は、外部端末２００が電源供給制御装置１００の遠隔制御を実行する処理を示すフローチャートである。外部端末２００のＣＰＵ２０１は外部メモリ２１１に格納されるプログラムをＲＡＭ２０３にロードして実行することで、以下において外部端末２００で必要な処理を行うものである。
【００５２】
まず、電源供給制御装置１００のＣＰＵ１０３はＳＷ３により保護モードが設定されているか否かを判定する（ステップＳ１００１）。
【００５３】
ステップＳ１００１の判別の結果、モードが「通常モード」の場合には、デフォルトの電源供給パターンで各ＣＨに対して電源供給し（ステップＳ１００９）、本処理を終了する。一方、ステップＳ５０１の判別の結果、モードが「保護モード」の場合には、ＥＰＲＯＭ１０４に格納された電源供給パターンがあるか否かを判別する（ステップＳ１００２）。ＥＰＲＯＭ１０４に格納された電源供給パターンがある場合には、ＥＰＲＯＭ１０４に格納された電源供給パターンによる電源供給を開始し（ステップＳ１００８）、本処理を終了する。一方、ＥＰＲＯＭ１０４に格納された電源供給パターンがない場合には、ＣＰＵ１０３は、電源供給パターンの生成リクエストを外部端末２００に送信し（ステップＳ１００３）、任意のＣＨを１つ選択して、通電（電源供給）し、所定時間（例えば２分）の消費電力データを取得し、該取得された消費電力データをＣＨ情報と共に外部端末２００に送信する（ステップＳ１００４）。その後、全てのコンセント（ＣＨ１〜ＣＨ４）について、ＣＨ情報及び消費電力データを外部端末２００に送信したか否かを判別し（ステップＳ１００５）、全てのコンセント（ＣＨ１〜ＣＨ４）について、ＣＨ情報及び消費電力データの送信が終了していない場合には、ステップＳ１００４の処理を繰り返す一方、全てのコンセント（ＣＨ１〜ＣＨ４）について、ＣＨ情報及び消費電力データの送信が終了した場合には、外部端末２００からＣＨ毎の電源供給パターンを受信したか否かを判別する（ステップＳ１００６）。
【００５４】
外部端末２００からＣＨ毎の電源供給パターンを受信していない場合には、ステップＳ１１０６の判別処理を繰り返す一方、外部端末２００からＣＨ毎の電源供給パターンを受信した場合には、受信した電源供給パターンをＥＰＲＯＭ１０４に保存し（ステップＳ１００７）、該保存された電源供給パターンに基づいて各コンセント（ＣＨ１〜ＣＨ４）に接続されている全ての機器への電源供給を開始し（ステップＳ１００８）、本処理を終了する。
【００５５】
一方、外部端末２００のＣＰＵ２０１は、電源供給パターンの生成リクエストを電源供給制御装置１００から受信したか否かを判別し（ステップＳ１０１０）、電源供給パターンの生成リクエストを電源供給制御装置１００から受信するまで当該判別処理を繰り返し実行し、電源供給パターンの生成リクエストを受信した場合には、ステップＳ１００４で電源供給制御装置１００から送信されるＣＨ情報及びＣＨ毎の消費電力データを受信して、ＲＡＭ２０３又は外部メモリ２１１に保存する（ステップＳ１０１１）。
【００５６】
ＣＰＵ２０１は、ＲＡＭ２０３又は外部メモリ２１１に保存されたＣＨ毎の消費電力データから電力消費パターンの特徴抽出を行う（ステップＳ１０１２）。ここでは、上記ステップＳ５０４で説明したような消費電力データの平均化の処理を実行する。次いで、電力消費パターンから特徴的な消費電力値と時間との関係を抽出して、ＲＡＭ２０３又は外部メモリ２１１に保存する（ステップＳ１０１３）。ここでは、平均化されて同一のアンペア数を持つ値を時間情報と共に抽出し、図７に示すようなテーブルを作成して、ＲＡＭ２０３又は外部メモリ２１１に保存する。
【００５７】
続けて、全てのコンセント（ＣＨ１〜ＣＨ４）について、図７のテーブルの作成が終了したか否かを判別し（ステップＳ１０１４）、図７のテーブルの作成が終了していない場合には、ステップＳ１０１１に戻る一方、図７のテーブルの作成が終了した場合には、その結果を用いて電源供給パターンを作成し、ＲＡＭ２０３又は外部メモリ２１１に保存する（ステップＳ１０１５）。なお、説明を簡単にするために省略したが、ステップＳ１０１５において、外部端末２００において上述のステップＳ５０８の判定を行ってステップＳ５１２の警告処理をしても良い。
【００５８】
その後、ＲＡＭ２０３又は外部メモリ２１１に保存されたＣＨ毎の電源供給パターンを電源供給制御装置１００に送信し（ステップＳ１００６）、本処理を終了する。
【００５９】
以上説明したように、本実施の形態によれば、電源供給制御装置１００が、単体で各ＣＨの電力消費パターンの特徴を抽出し、この電力消費パターンの特徴から消費電力値と時間との関係を抽出し、この関係に基づいて電源供給パターンを作成して、該電源供給パターンに基づいて各ＣＨに対して電源供給を行うので、複数のＣＨにそれぞれ接続される機器を同時に起動したときに、電源が落ちることを防止することができ、かつ、複数の機器の立ち上げを効率的に行うことができる。
【００６０】
また、電源供給制御装置に対して一度に電力を供給するためのスイッチを設けてスイッチをＯＮした場合や、複数の機器を接続したままで、電源供給制御装置のコンセントを商用電源に接続した場合に、突入電流の大きい機器を含んでいて、通常なら電源が落ちてしまう場合でも、電源供給が行えるようなる。また、電源供給パターンを生成することで、人間が判断して電源供給パターンを生成することがなく、煩わしい作業を行わずに済む。また、不正確な電源供給パターンになることを防止できる。
【００６１】
さらに、外部端末２００と電源供給制御装置１００とがネットワーク７００を介して接続される電源供給制御システムでは、外部端末２００において、各ＣＨの電力消費パターンの特徴を抽出し、この電力消費パターンの特徴から消費電力値と時間との関係を抽出し、この関係に基づいて電源供給パターンを作成して、電源供給制御装置１００に送信し、電源供給制御装置１００において、該電源供給パターンに基づいて各ＣＨに対して電源供給を行うので、複数のＣＨにそれぞれ接続される機器を同時に起動したときに、電源が落ちることを防止することができ、かつ、複数の機器の立ち上げを効率的に行うことができる。また、外部端末２００が電源供給制御装置１００の各ＣＨの通電や電力消費の制御を行うことができる。
【００６２】
上記図１０のフローチャートでは、ステップＳ１００６の処理後に、各ＣＨ１〜ＣＨ４に接続されている全ての機器への電源供給が可能であるか否かの判別を実行しなかったが、この判別処理を実行してもよい。そして、電源供給可能でない機器がある場合には、電源供給制御装置１００が警告を行うようにしてもよいし、電源供給可能でない機器がある情報を外部端末２００に送信し、ＣＲＴ２１０にその情報を表示するようにしてもよい。
【００６３】
また、外部端末２００は、複数の電源供給制御装置と接続可能であり、例えば、２台の電源供給制御装置と接続されており、２台の電源供給制御装置に合計８個のＣＨがある場合には、８個のＣＨが最大許容電力（電流）値を超えないように電源供給パターンを生成することもできる。
【００６４】
上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは云うまでもない。
【００６５】
この場合、記憶媒体等の媒体から読み出されたプログラムコード自体が上述した実施形態の機能を実現することになり、そのプログラムコードを記憶した記憶媒体等の媒体は本発明を構成することになる。
【００６６】
プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ、或いはネットワークを介したダウンロードなどを用いることができる。
【００６７】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは云うまでもない。
【００６８】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは云うまでもない。
【図面の簡単な説明】
【００６９】
【図１】本発明の実施の形態に係る電源供給制御システムの構成を示す図である。
【図２】図１の電源供給制御装置１００のハードウェア構成を示す図である。
【図３】電源供給制御装置１００の表示部１１１の構成を示す図である。
【図４】図１の外部端末２００のハードウェア構成を示す図である。
【図５】本実施の形態に係る電源供給制御装置１００の制御処理を示すフローチャートである。
【図６】（ａ）はＥＰＲＯＭ１０４に保存された消費電力データの一例を示す図であり、（ｂ）は電力消費パターンの一例を示す図である。
【図７】図６（ｂ）の電力消費パターンから特徴的な消費電力値と時間との関係を抽出したテーブルを示す図である。
【図８】電源供給制御装置１００の消費電力データをＣＲＴ２１０に表示するための処理を示すフローチャートである。
【図９】外部端末２００のＣＲＴ２１０に表示される、ＣＨ１の消費電力データを示す図である。
【図１０】外部端末２００が電源供給制御装置１００の遠隔制御を実行する処理を示すフローチャートである。
【符号の説明】
【００７０】
１００  電源供給制御装置
１０１  電源スイッチ
１０２  制御回路用電源部
１０３  ＣＰＵ
１０４  ＥＰＲＯＭ
１０５  ＳＲＡＭ
１０６  リアルタイムクロック
１０８  Ａ／Ｄコンバータ
１０９  シリアルパラレル変換回路
２００  外部端末
７００  ネットワーク
【図１】
2005198364.tif 000003
【図２】
2005198364.tif 000004
【図３】
2005198364.tif 000005
【図４】
2005198364.tif 000006
【図５】
2005198364.tif 000007
【図６】
2005198364.tif 000008
【図７】
2005198364.tif 000009
【図８】
2005198364.tif 000010
【図９】
2005198364.tif 000011
【図１０】
2005198364.tif 000012